(57)【要約】【課題】  外側からの力に対する抵抗性が優れているとともに、昇降ベッドの最小高さ、最大高さ、昇降ストロークについての設計上の自由度を大きくすることのできる昇降部カバーを有する昇降ベッドを提供する。【解決手段】  昇降部２のリンク機構が上方向に立ち上がると、寝台フレーム３又は上部フレームに固定された最外側筒体４０ａも上方に移動する。そして、その内側の筒体４０ｂ乃至４０ｄが順次係止部６１，６２を係合させて上方に移動する。【選択図】  図８
2005168683.tif 000002
【特許請求の範囲】
【請求項１】
基台と、昇降台と、前記基台と前記昇降台との間に介在しリンク機構により前記昇降台を前記基台に対して昇降させる昇降部と、この昇降部を取り囲むように前記基台と前記昇降台との間に設けられた昇降部のカバーとを有し、このカバーは、順次嵌合されるように大きさが夫々異なる３個以上の筒体を備え、前記昇降台が下端位置にあるときにこれらの筒体は相互に嵌合して重ねられており、前記昇降台が上昇したときに先ず外側の筒体が上昇し、筒体同士が、内側の筒体の上端部と外側の筒体の下端部とに夫々外側及び内側に向けて夫々逆Ｖ字状及びＶ字状に突出するように設けられた夫々上部突起及び下部突起を相互に係合させて連結した状態で前記昇降部を覆うことを特徴とする昇降ベッド。
【請求項２】
前記カバーは、最外側に前記昇降台に固定された最外側筒体と、最内側に前記基台に固定された最内側筒体とを有し、前記最外側筒体はその下端に内側に向けて突出し、その内側の筒体に設けられた上部突起に係合するＶ字状の最外側突起を有し、前記最内側筒体はその上端に外側に向けて突出し、その外側の筒体に設けられた下部突起に係合する逆Ｖ字状の最内側突起を有することを特徴とする請求項１に記載の昇降ベッド。
【請求項３】
前記昇降台が下端位置にあるときに、外側の筒体の下部突起はその内側の筒体の下部突起と同じかそれより高い位置にあり、前記外側の筒体の上部突起はその内側の筒体の上部突起と同じかそれより高い位置にあることを特徴とする請求項１又は２に記載の昇降ベッド。
【請求項４】
前記昇降台の下部に設けられ、前記昇降台の下部と前記筒体との間に介在し、その下縁が内側に向けて下降するように傾斜して、前記筒体の上縁を係止するストッパを有することを特徴とする請求項１乃至３のいずれか１項に記載の昇降ベッド。
【請求項５】
基台と、昇降台と、前記基台と前記昇降台との間に介在しリンク機構により前記昇降台を前記基台に対して昇降させる昇降部と、この昇降部を取り囲むように前記基台と前記昇降台との間に設けられた昇降部のカバーとを有し、このカバーは、順次嵌合されるように大きさが夫々異なる３個以上の筒体を備え、前記昇降台が下端位置にあるときにこれらの筒体は相互に嵌合して重ねられており、前記昇降台が上昇したときに先ず内側の筒体が上昇し、筒体同士が、内側の筒体の下端部と外側の筒体の上端部とに夫々外側及び内側に向けて夫々Ｖ字状及び逆Ｖ字状に突出するように設けられた夫々下部突起及び上部突起を相互に係合させて連結した状態で前記昇降部を覆うことを特徴とする昇降ベッド。
【請求項６】
前記カバーは、最内側に前記昇降台に固定された最内側筒体と、最外側に前記基台に固定された最外側筒体とを有し、前記最内側筒体はその下端に外側に向けて突出し、その外側の筒体に設けられた上部突起に係合するＶ字状の最内側突起を有し、前記最外側筒体はその上端に内側に向けて突出し、その内側の筒体に設けられた下部突起に係合する逆Ｖ字状の最外側突起を有することを特徴とする請求項５に記載の昇降ベッド。
【請求項７】
前記昇降台が下端位置にあるときに、内側の筒体の下部突起はその外側の筒体の下部突起と同じかそれより高い位置にあり、前記内側の筒体の上部突起はその外側の筒体の上部突起と同じかそれより高い位置にあることを特徴とする請求項５又は６に記載の昇降ベッド。
【請求項８】
前記昇降台の下部に設けられ、前記昇降台の下部と前記筒体との間に介在し、その下縁が外側に向けて下降するように傾斜して、前記筒体の上縁を係止するストッパを有することを特徴とする請求項５乃至７のいずれか１項に記載の昇降ベッド。
【請求項９】
前記上部突起及び下部突起は、前記筒体の全周にわたって形成されていることを特徴とする請求項１乃至８のいずれか１項に記載の昇降ベッド。
【請求項１０】
前記上部突起及び下部突起は、前記筒体の周縁の一部に形成されていることを特徴とする請求項１乃至８のいずれか１項に記載の昇降ベッド。
【請求項１１】
前記上部突起及び前記下部突起に、内側から外側に向かう方向の摩擦係数が前記筒体の周縁に沿う方向の摩擦係数より大きい傾斜パイル布地が貼られていることを特徴とする請求項１乃至１０のいずれか１項に記載の昇降ベッド。
【請求項１２】
前記上部突起及び下部突起には、そのこすれ時の音を消す消音部材が貼られていることを特徴とする請求項１乃至１０のいずれか１項に記載の昇降ベッド。
【請求項１３】
前記筒体が樹脂で一体成型されていることを特徴とする請求項１乃至１２に記載の昇降ベッド。
【請求項１４】
前記筒体に数字の表示又は色を付することを特徴とする請求項１乃至１３のいずれか１項に記載の昇降ベッド。
【発明の詳細な説明】
【技術分野】
【０００１】
本発明は、昇降部のカバーを有する昇降ベッドに関する。
【背景技術】
【０００２】
高さ調節機能を有する昇降ベッドの昇降部には、油圧シリンダによる直動式の機構、電動モーターによる駆動機構、パンタグラフ状のリンク機構等が用いられている。この昇降部がむき出しの状態では、使用者が昇降部に挟まれたり、巻き込まれたりするおそれがある。また、昇降部にほこり等が付着するとスムーズな昇降が困難になるおそれがある。
【０００３】
そこで、昇降部のカバーとして、昇降台に固定された外側筒体と、基台に固定された最内側筒体と、それらの筒体の中間位置に設けられた筒体からなるものが提案されている（実開昭６０−９９９２３）。
【０００４】
【特許文献１】実開昭６０−９９９２３
【発明の開示】
【発明が解決しようとする課題】
【０００５】
しかし、実開昭６０−９９９２３に記載されている手術台用昇降装置における昇降部のカバーは、筒体が３つだけで構成されているので、手術台用昇降装置の最小高さ、最大高さ、昇降ストロークについての設計上の自由度は乏しい。また、筒体上部の突起の形状及び筒体下部の突起の形状がＬ字形状であるので、突起部分同士の係合がはずれやすく、外側から力を加えるとカバーが外れやすいという問題点がある。
【０００６】
本発明はかかる問題点に鑑みてなされたものであって、外側からの力に対する抵抗性が優れているとともに、昇降ベッドの最小高さ、最大高さ、昇降ストロークについての設計上の自由度を大きくすることのできる昇降部カバーを有する昇降ベッドを提供することを目的とする。
【課題を解決するための手段】
【０００７】
本願第１発明に係る昇降ベッドは、基台と、昇降台と、前記基台と前記昇降台との間に介在しリンク機構により前記昇降台を前記基台に対して昇降させる昇降部と、この昇降部を取り囲むように前記基台と前記昇降台との間に設けられた昇降部のカバーとを有し、このカバーは、順次嵌合されるように大きさが夫々異なる３個以上の筒体を備え、前記昇降台が下端位置にあるときにこれらの筒体は相互に嵌合して重ねられており、前記昇降台が上昇したときに先ず外側の筒体が上昇し、筒体同士が、内側の筒体の上端部と外側の筒体の下端部とに夫々外側及び内側に向けて夫々逆Ｖ字状及びＶ字状に突出するように設けられた夫々上部突起及び下部突起を相互に係合させて連結した状態で前記昇降部を覆うことを特徴とする。
【０００８】
この昇降ベッドにおいて、前記カバーは、最外側に前記昇降台に固定された最外側筒体と、最内側に前記基台に固定された最内側筒体とを有し、前記最外側筒体はその下端に内側に向けて突出し、その内側の筒体に設けられた上部突起に係合するＶ字状の最外側突起を有し、前記最内側筒体はその上端に外側に向けて突出し、その外側の筒体に設けられた下部突起に係合する逆Ｖ字状の最内側突起を有することが好ましい。また、前記昇降台が下端位置にあるときに、外側の筒体の下部突起はその内側の筒体の下部突起と同じかそれより高い位置にあり、前記外側の筒体の上部突起はその内側の筒体の上部突起と同じかそれより高い位置にあることが好ましい。更に、前記昇降台の下部に設けられ、前記昇降台の下部と前記筒体との間に介在し、その下縁が内側に向けて下降するように傾斜して、前記筒体の上縁を係止するストッパを有することが好ましい。
【０００９】
本願第２発明に係る昇降ベッドは、基台と、昇降台と、前記基台と前記昇降台との間に介在しリンク機構により前記昇降台を前記基台に対して昇降させる昇降部と、この昇降部を取り囲むように前記基台と前記昇降台との間に設けられた昇降部のカバーとを有し、このカバーは、順次嵌合されるように大きさが夫々異なる３個以上の筒体を備え、前記昇降台が下端位置にあるときにこれらの筒体は相互に嵌合して重ねられており、前記昇降台が上昇したときに先ず内側の筒体が上昇し、筒体同士が、内側の筒体の下端部と外側の筒体の上端部とに夫々外側及び内側に向けて夫々Ｖ字状及び逆Ｖ字状に突出するように設けられた夫々下部突起及び上部突起を相互に係合させて連結した状態で前記昇降部を覆うことを特徴とする。
【００１０】
この昇降ベッドにおいて、前記カバーは、最内側に前記昇降台に固定された最内側筒体と、最外側に前記基台に固定された最外側筒体とを有し、前記最内側筒体はその下端に外側に向けて突出し、その外側の筒体に設けられた上部突起に係合するＶ字状の最内側突起を有し、前記最外側筒体はその上端に内側に向けて突出し、その内側の筒体に設けられた下部突起に係合する逆Ｖ字状の最外側突起を有することが好ましい。また、前記昇降台が下端位置にあるときに、内側の筒体の下部突起はその外側の筒体の下部突起と同じかそれより高い位置にあり、前記内側の筒体の上部突起はその外側の筒体の上部突起と同じかそれより高い位置にあることが好ましい。更に、前記昇降台の下部に設けられ、前記昇降台の下部と前記筒体との間に介在し、その下縁が外側に向けて下降するように傾斜して、前記筒体の上縁を係止するストッパを有することが好ましい。
【００１１】
本願第１発明に係る昇降ベッド及び第２発明に係る昇降ベッドの有する上部突起及び下部突起は、前記筒体の全周にわたって形成されていることが好ましいが、前記筒体の周縁の一部に形成されているのみでもよい。また、前記上部突起及び前記下部突起に、内側から外側に向かう方向の摩擦係数が前記筒体の周縁に沿う方向の摩擦係数より大きい傾斜パイル布地が貼られていることが好ましい。ここで、傾斜パイル布地とは、表面のパイルの向きが一方向に傾斜している布地のことをいう。更に、前記上部突起及び前記下部突起に、そのこすれ時の音を消す消音部材が貼られていることが好ましい。更にまた、前記筒体が樹脂で一体成型されていることが好ましい。加えて、前記筒体に数字の表示又は色を付することも好ましい。
【発明の効果】
【００１２】
本発明に係る昇降ベッドのカバーにおいては、筒体の上部突起及び下部突起がＶ字状又は逆Ｖ字状であるので、上部突起及び下部突起の相互の係合が外部から力を加えてもはずれにくい。また、本発明に係る昇降ベッドの昇降部のカバーにおいては、３個以上の筒体を設けているので、本発明に係る昇降ベッドは最小高さ、最大高さ、昇降ストロークについての設計上の自由度が大きい。
【００１３】
なお、昇降台が下端位置にあるときの各筒体相互間に適切に傾斜をつけて配置したときは、筒体の上部突起及び下部突起の係合は正常な係合のみが生じることとなり、想定外の係合は生じなくなる。前記突起に内側から外側に向かう方向の摩擦係数が前記筒体の周縁に沿う方向の摩擦係数より大きい傾斜パイル布地を貼りつけたときには、筒体の上部突起及び下部突起の係合が外れにくくなる。前記上部突起及び下部突起に消音部材を貼りつけたときには、前記上部突起及び下部突起が隣接するカバーとこすれるときの音が発生しにくくなる。筒体を樹脂で一体成型したときには、量産性が向上するとともに、デザイン性に優れる昇降部のカバーを提供することもできる。各筒体に数字の表示又は色を付したときには、昇降ベッドの高さを視認により直観的に把握しやすくなる。
【発明を実施するための最良の形態】
【００１４】
以下、本発明の実施の形態について、添付の図面を参照して具体的に説明する。図１（ａ）及び（ｂ）は本発明の実施形態に係る昇降ベッドを示した図面であり、（ａ）は斜め下方に見た俯瞰斜視図、（ｂ）は斜め上方に見た斜視図である。図２（ａ）は同じく昇降ベッドの正面図、図２（ｂ）は側面図である。図３は昇降ベッドの昇降機構を示す斜視図、図４は昇降ベッドのカバーを取り外した状態を示す斜視図である。図５（ａ）、（ｂ）は昇降機構のリンクの動作を示す正面図、図６（ａ）、（ｂ）は昇降ベッドの上昇位置における側面図及び正面図、図７（ａ）、（ｂ）は昇降ベッドの下降位置における側面図及び正面図である。図８はカバー４の構成を示す一部断面図、図９（ａ）、（ｂ）はカバー４の取付状態を示す断面図、図１０はストッパ５０の配置を示す斜視図である。
【００１５】
本実施形態に係る昇降ベッドは、基台１と、寝台用フレーム３と、基台１と寝台用フレーム３との間に介在しリンク機構により寝台用フレーム３を基台１に対して昇降させる昇降部２と、昇降部２を取り囲むように基台１と寝台用フレーム３との間に設けられた昇降部のカバー４とを有する。この寝台用フレーム３には、寝台３５が固定されている。
【００１６】
基台１は、２組の横材１０及び縦材１１からなるフレームの４隅の下端に、高さ調節用の脚部１２が設けられて構成されている。また、縦材１１間には、縦材１１に対して回転可能の回転軸２１ａと、縦材１１に対して回転可能の回転軸１４と、縦材１１の内面に設けられたレール１１ａに支持されると共にこのレール１１ａに沿って移動可能の移動軸２１ｂとが掛け渡されている。また、縦材１１の間にはコントロールボックス１３が取り付けられている。
【００１７】
昇降部２においては、下端が回転軸２１ａの両端部に固定された１対のリンク２２ｂと、下端が移動軸２１ｂの両端部に固定された１対のリンク２２ａとをその中央でピン２２ｃにより相互に回転可能に連結して各リンクがＸ字状に設けられ、更に、リンク２６ａとリンク２６ｂとをその中央でピン２６ｃにより回転可能に連結して各リンクがＸ字状に設けられており、リンク２６ａの下端を回転軸２５ｃによりリンク２２ｂの上端に回転可能に連結し、リンク２６ｂの下端を回転軸２５ｄによりリンク２２ａの上端に回転可能に連結することにより、２段構造のＸ字状のリンク機構が設けられている。なお、リンク２２ｂの上端部間には、回転軸２５ｃの外側に、補強用の連結棒２５ａが掛け渡されて固定されており、リンク２６ｂの下端部間には、回転軸２５ｄの外側に、補強用の連結棒２５ｂが掛け渡されて固定されている。このリンク機構の上部フレームは各１対の縦材２８及び横材２９により構成されており、リンク２６ａの上端は、回転軸２７ｂにより縦材２８に回転可能に連結されており、リンク２６ｂの上端は、移動軸２７ａにより縦材２８の内面に設けられたレール２８ａに、このレール２８ａに沿って移動可能に支持されている。この縦材２８及び横材２９から構成される上部フレームの上には、寝台用フレーム３が設置されている。寝台用フレーム３においては、１対の縦材３１間に、縦材両端部の横材３０、縦材中央の横材３２及び横材３０，３２間の２本の横材３３が相互に平行に掛け渡されて縦材３１に固定されている。また、上部フレームの横材２９の外側面には、後述するように、寝台ベッド輸送時のカバーの暴れを防止するためのストッパ５０が固定されている。また、縦材３１の外面には、寝台３５を固定するためのステー３４が設置されている。
【００１８】
このように構成されたリンク機構においては、リンク２２ａの下端部間を掛け渡す移動軸２１ｂと、リンク２６ｂの上端部間を掛け渡す移動軸２７ａとが、夫々、レール１１ａ、２８ａに沿って移動することにより、各リンクの交差角度が変化し、寝台フレームを水平に保持した状態で、この寝台フレームを上下動させることができる。
【００１９】
而して、回転軸１４には、取付金具２４ｂが固定されており、更に回転軸２５ｃにも取付金具２４ａが固定されていて、これらの取付金具２４ａ、２４ｂ間に、空気ばね２４が設置されている。この空気ばね２４は、回転軸１４と回転軸２５ｃとの間に、両者が接近する方向の反対の方向に弾性力を付与しており、これにより、寝台用フレーム３が寝台３５上の加重により不用意に急速に落下しないようになっている。
【００２０】
そして、１対のリンク２２ｂの下部間には、連結軸２１ｃが掛け渡されて固定されており、この連結軸２１ｃにアーム２３ｂが固定されている。また、１対のリンク２６ａの下部間には、連結軸２５ｅが掛け渡されて固定されており、この連結軸２５ｅにアーム２３ａが固定されている。アクチュエータ２３は、そのシリンダ部がアーム２３ｂに回転可能に支持されており、そのピストン部の先端がアーム２３ａに回転可能に連結されている。このアクチュエータ２３が動作して、そのピストン部が進出退入することにより、連結軸２１ｃと連結軸２５ｅとの間の間隔が変動し、リンク２６ａとリンク２２ｂとのなす角度が変化し、リンク機構を伸張したり、又は折りたたむように、駆動することができる。これにより、寝台３５が昇降駆動される。
【００２１】
昇降部のカバー４は、図８に示すように、寝台用フレーム３又は上部フレーム（縦材２８及び横材２９）に固定された最外側筒体４０ａと、基台１に固定された最内側筒体４０ｅと、最外側筒体４０ａと最内側筒体４０ｅとの間に配置された１又は複数個（図８は３個）の筒体４０ｂ乃至４０ｄとから構成されている。最外側筒体４０ａは、図９（ａ）及び図１０に示すように、樹脂グリップ４３により後述するストッパ５０に固定され、このストッパ５０は上部フレーム（横材２９の外側面）に固定されている。これにより、最外側筒体４０ａは上部フレームに固定される。筒体の数は３以上であり、本実施形態においては、一例として５個の筒体４０ａ乃至４０ｅから構成されている。筒体の数は任意に選べるが、本実施の形態は筒体を５つ有するものである。また、昇降台下降時に昇降部カバーを傾斜をつけて配置させるためのストッパ５０及び傾斜がついた台車カバー４４が設けられている。
【００２２】
各筒体４０ａ乃至４０ｅは、図１１に示すように、その上端部に外側に向けて略逆Ｖ字状に湾曲又は屈曲する係止部６１と、下端部に内側に向けて略Ｖ字状に湾曲又は屈曲する係止部６２とが設けられている。そして、外側の筒体４１ａと、その内側の筒体４１ｂとを、係止部６１及び６２を相互に係合することにより、連結する。即ち、先ず、外側の筒体４１ａを持ち上げると、その係止部６２が内側の筒体４１ｂの係止部６１を係止して、この係止部６１、６２を介して、外側の筒体４１ａが内側の筒体４１ｂを持ち上げることになる。なお、図１１において、下端部に係止部６２を有する筒体４１ａは、図８に示す筒体４０ａ乃至４０ｄであり、上端部に係止部６１を有する筒体４１ｂは、図８に示す筒体４０ｂ乃至４０ｅである。なお、筒体４０ａ、４０ｂを設けず、この係止部６２，６１のみを夫々寝台用フレーム３又は上部フレーム及び基台１に設置することとしてもよい。この場合は、カバー４は筒体４０ｂ乃至４０ｄの３個となる。少なくとも、筒体は３個以上設けることが、昇降ベッドの最小高さ、最大高さ、昇降ストロークについての設計上の自由度を大きくするためには、必要である。なお、係止部は筒体の全周にわたって設ける必要はなく、一部に、例えば、４箇所設けるだけでもよい。
【００２３】
次に、上述の如く構成された本実施形態の昇降ベッドの動作について説明する。アクチュエータ２３のピストンロッドが進出すると、リンク機構により、基台１に対して、上部フレーム及びそれに固定された寝台用フレーム３が持ち上がり、寝台用フレーム３が上昇する。そうすると、上部フレーム又は寝台用フレーム３に固定された最外側筒体４０ａが、寝台用フレームの上昇と共に上昇し、その下端部の係止部６２がその内側の筒体４０ｂの係止部６１を係合する。その後、この筒体４０ａ、４０ｂが係止部６１，６２を介して連結された状態で上昇する。その後、更に上昇すると、外側から３番目の筒体４０ｃが筒体４０ｂの下端部の係止部６２により係止されて上昇を開始し、以後、順次、より内側の筒体が上昇を開始する。このようにして、図６（ａ）、（ｂ）に示すように、カバー４の筒体４０ａ乃至４０ｄが全て上昇し、全ての筒体４０ａ乃至４０ｅが露出する。この寝台用フレーム３の上昇の間に、昇降部２はカバー４に常に囲まれた状態にあるので、操作者等が、昇降部２のリンク機構に接触してけがをする虞がなくなる。
【００２４】
また、昇降用フレーム３が下降する場合は、先ず、最内側の筒体４０ｅの外側の筒体４０ｄが降下を開始し、その後、順次外側の筒体が降下を開始して、最終的に図７及び図８に示すように、全ての筒体４０ａ乃至４０ｅが重なって最外側の筒体４０ａ内に収納された状態になる。
【００２５】
本実施形態においては、図１１に示すように、係止部６１，６２が逆Ｖ字状及びＶ字状をなしているので、昇降時に、筒体同士の係合が外れる虞がない。また、図８に示すように、各筒体は高さがほぼ一定であり、基台１には、外側から内側に向けて傾斜する底部４１が設けられているので、中間の筒体４０ｂ乃至４０ｄは、この底部４１上に支持されて、同様にその中心位置が内側に向けて若干下降するように収まっている。更に、筒体４０ａ乃至４０ｅの高さがほぼ一定であるので、上述のように、下端部が底部４１に係止されるので、各筒体の上端部は、隣接する筒体、特にその外側の筒体の上端部を乗り越えてしまうことがない。従って、各筒体は、その下端係止部同士は、底部４１上で整然と並び、上端係止部同士も、外側の筒体の係止部に噛み込んでしまうことなく、整然と並ぶことになる。よって、リンク機構の昇降動作時に、筒体４０ａ乃至４０ｅが相互に引っかかったりすることがなく、整然と昇降動作をすることができる。更に、図７及び図８に示すように、寝台用フレーム３が降下した状態で、昇降ベッドが運搬されるが、このとき、筒体４０ａ乃至４０ｅの上には、ストッパ５０が設けられているので、運搬時の振動で筒体４０ａ乃至４０ｅが暴れても、筒体は図８に示す整然とした状態を保持することができる。
【００２６】
なお、本実施の形態における昇降部は、リンク機構をアクチュエータにより駆動するものであるが、昇降機構はこれに限定されるものではなく、本発明は種々の昇降部に適用することができる。例えば、油圧シリンダによる直動式の機構、電動モーターによる駆動機構等であってもよい。また、昇降部のカバーの形態も、本明細書に示す実施の形態のような平面と曲面による構成でなくてもよく、楕円筒形状や円筒形状等のような形状であってもよい。
【００２７】
本発明においては、突起の形状がＶ字状及び逆Ｖ字状の形状であるため、図１１に示すように上部突起及び下部突起が相互に係合し、カバーに外側から力が加わってもカバーが外れにくくなっている。なお、突起の形状は、厳密にＶ字状及び逆Ｖ字状の形状である必要はなく、釣り針状の形状等でもよく、上部突起及び下部突起が相互にフックして係合できればよい。図１２（ａ）に示すように、上部係止部６１及び下部係止部６２に、内側から外側に向かう方向の摩擦係数が前記筒体の周縁に沿う方向の摩擦係数より大きい傾斜パイル布地６３を貼りつけると、外側からの力に対する抵抗力はさらに大きくなる。また、図１２（ｂ）に示すように、上部係止部６１及び下部係止部６２に消音部材６４を貼り付けると、上部突起及び下部突起とカバーが擦れるときの音の発生を防止することができる。消音部材６４としては布地等が考えられる。また、上部係止部６１及び下部係止部６２に傾斜パイル布地６３又は消音部材６４を貼り付ける場合、係止部の全域にわたって貼り付ける必要は必ずしもなく、一部に貼り付けるだけであってもよい。なお、上部係止部６１及び下部係止部６２に貼り付ける部材は同一の部材でなくてもよく、例えば、上部係止部６１には消音部材としてフェルトを貼り付け、下部係止部６２には傾斜パイル布地として起毛ファイルを貼り付けてもよい。
【００２８】
また、図１３（ａ）に示すように、各筒体に１〜５の段数を表示したり、図１３（ｂ）に示すように、各筒体に色分けしたラベルを貼り付けたり、各筒体のカバー自体の色７２ａ乃至７０ｅを変えたりすることができる。例えば、色７２ａは白、色７２ｂは緑、色７２ｃは青、色７２ｄは黄色、色７２ｅは赤である。これにより、例えば、４段が最下段に表示されていれば、４段分の高さであり、最下段に筒体４０ｄを示す色７２があれば、４段分の高さであることが視認され、昇降台の高さを直観的に把握しやすくなる。
【００２９】
図１４（ａ）乃至（ｃ）は筒体の成型方法の一例を示す。熱可塑性樹脂のシート材に熱を加えて柔らかくした上で所定の形状の金型に真空引きにより密着させる。そして、温度を下げた後に金型から熱可塑性樹脂のシート材を取り外し、不要な部分８４ａ及び８４ｂを取り除けばよい。この方法により、本発明にて使用する筒体８３が得られ、樹脂による筒体の一体成型が容易にできる。もっとも、ブロー成型又は射出成型でも同様の形状の筒体を成型することができ、本発明の昇降部のカバーの有する効果は、その成形方法に依存するものではない。また、本発明のカバーの有する効果は材料に依存するものでもないため樹脂製でなくてもよく、例えば薄板板金を絞り加工したものでもよい。ただし、図１４に示す真空成型方法の方が量産性が優れている。
【００３０】
上述の本発明の実施形態においては、図６乃至図８にみるように、各筒体４０ａ乃至４０ｅは、最外側の筒体４０ａが寝台フレーム３又は上部フレームに固定されていて、寝台フレーム３が上昇したときには、カバー４の最上部を占めるが、本発明はこれに限らず、最外側の筒体が基台１に固定され、最内側の筒体が寝台フレーム又は上部フレームに固定されるものとしてもよい。この場合は、図８に示すＶ字状又は逆Ｖ字状の係止部が逆になる。つまり、基台１に最外側の筒体４０ａが固定され、その上端部に、逆Ｖ字状の内向きに突出する係止部を設け、その内側の筒体４０ｂにはその下端部にＶ字状の外向きに突出する係止部を設け、その上端部に逆Ｖ字状の内向きに突出する係止部を設ければよい。また最内側の筒体４０ｅは上部フレーム又は寝台フレーム３に固定され、その下端部にＶ字状の外向きに突出する係止部を設ければよい。
【図面の簡単な説明】
【００３１】
【図１】図１（ａ）及び（ｂ）は本発明の実施形態に係る昇降ベッドを示した図面であり、（ａ）は斜め下方に見た俯瞰斜視図、（ｂ）は斜め上方に見た斜視図である。
【図２】図２（ａ）は同じく昇降ベッドの正面図、図２（ｂ）は側面図である。
【図３】図３は昇降ベッドの昇降機構を示す斜視図である。
【図４】図４は昇降ベッドのカバーを取り外した状態を示す斜視図である。
【図５】図５（ａ）、（ｂ）は昇降機構のリンクの動作を示す正面図である。
【図６】図６（ａ）、（ｂ）は昇降ベッドの上昇位置における側面図及び正面図である。
【図７】図７（ａ）、（ｂ）は昇降ベッドの下降位置における側面図及び正面図である。
【図８】図８はカバー４の構成を示す一部断面図である。
【図９】図９（ａ）、（ｂ）はカバー４の取付状態を示す断面図である。
【図１０】図１０はストッパ５０の配置を示す斜視図である。
【図１１】図１１は係止部の形状を示す図である。
【図１２】図１２（ａ）、（ｂ）は同じく係止部の変形例を示す図である。
【図１３】図１３は筒体の変形例を示す図である。
【図１４】図１４（ａ）乃至（ｃ）は筒体の成形方法を示す図である。
【符号の説明】
【００３２】
１；基台
２；昇降部
３；寝台用フレーム
４；昇降部カバー
１０：横材
１１；縦材
１３；コントロールボックス
１４；中央部横材
２１ａ、２５ｃ、２５ｄ；回転軸
２２ａ、２２ｂ；リンク
２２ｃ；ピン
２５ａ；連結棒
２３；アクチュエータ
２４；空気ばね
３４；ステー
３５；寝台
４０ａ乃至４０ｅ；筒体
４１ａ；外側筒体
４１ｂ；内側筒体
４３；樹脂製アンカー
４４；底部
５０；ストッパ
６１；傾斜パイル布地
６２；消音部材
７２ａ；白に彩色された最外側筒体
７２ｂ；緑に彩色された筒体
７２ｃ；青に彩色された筒体
７２ｄ；黄色に彩色された筒体
７２ｅ；赤に彩色された筒体
８１；熱可塑性樹脂シート
８２；金型
８３；本発明の筒体となる部分
８４ａ，８４ｂ；取り除く樹脂の部分
【図１】
2005168683.tif 000003
【図２】
2005168683.tif 000004
【図３】
2005168683.tif 000005
【図４】
2005168683.tif 000006
【図５】
2005168683.tif 000007
【図６】
2005168683.tif 000008
【図７】
2005168683.tif 000009
【図８】
2005168683.tif 000010
【図９】
2005168683.tif 000011
【図１０】
2005168683.tif 000012
【図１１】
2005168683.tif 000013
【図１２】
2005168683.tif 000014
【図１３】
2005168683.tif 000015
【図１４】
2005168683.tif 000016